【手続補正書】
【提出日】平成19年12月13日(2007.12.13)
【手続補正１】
【補正対象書類名】明細書
【補正対象項目名】発明の名称
【補正方法】変更
【補正の内容】
【発明の名称】印刷装置、情報処理装置、制御方法、及びプログラム
【手続補正２】
【補正対象書類名】明細書
【補正対象項目名】特許請求の範囲
【補正方法】変更
【補正の内容】
【特許請求の範囲】
【請求項１】  少なくとも第１サイズ、第２サイズ、第３サイズの用紙を給紙でき、前記第１サイズの用紙を、ショートエッジとロングエッジとの両方で給紙可能な印刷装置であって、
複数種類のサイズの用紙が混載していることを示す用紙混載情報を情報処理装置から受信する受信手段と、
前記受信手段によって受信された用紙混載情報に基づいて、第１サイズの用紙をロングエッジにて給紙するか、ショートエッジにて給紙するかを決定する決定手段と、
前記決定手段によって第１サイズの用紙をロングエッジにて給紙すると決定された場合、第１サイズの用紙のロングエッジの長さと第２サイズの用紙の１辺の長さとが揃った印刷物を生成し、前記決定手段によって第１サイズの用紙をショートエッジ給紙すると決定された場合、第１サイズの用紙のショートエッジの長さと第３サイズの用紙の１辺の長さとが揃った印刷物を出力する出力制御手段とを有することを特徴とする印刷装置。
【請求項２】  ロングエッジでの給紙が可能なカセットと、ショートエッジでの給紙が可能なカセットを有し、
前記出力制御手段は、前記決定手段によって前記第１サイズの用紙をロングエッジにて給紙すると決定された場合、前記ロングエッジでの給紙が可能なカセットから前記第１サイズの用紙を給紙し、前記決定手段によって前記第１サイズの用紙をショートエッジにて給紙すると決定された場合、前記ショートエッジでの給紙が可能なカセットから前記第１サイズの用紙を給紙することを特徴とする請求項１に記載の印刷装置。
【請求項３】  前記第１サイズおよび前記第３サイズは、前記第２サイズよりも面積が小さいことを特徴とする請求項１に記載の印刷装置。
【請求項４】  前記第１サイズは、Ａ４サイズであり、前記第２サイズは、Ａ３サイズであり、前記第３サイズは、Ａ５サイズであることを特徴とする請求項１乃至３のいずれか１項に記載の印刷装置。
【請求項５】  前記出力制御手段は、前記決定手段によって第１サイズの用紙をロングエッジにて給紙すると決定した場合、第１サイズの用紙のロングエッジの長さと第２サイズの用紙のショートエッジの長さとが揃った印刷物を生成し、前記決定手段によって第１サイズの用紙をショートエッジにて給紙すると決定した場合、第１サイズの用紙のショートエッジの長さと第３サイズの用紙のロングエッジの長さとが揃った印刷物を印刷することを特徴とする請求項１乃至４のいずれか１項に記載の印刷装置。
【請求項６】  少なくとも第１サイズ、第２サイズ、第３サイズの用紙を給紙できる印刷装置と通信する情報処理装置であって、
１つの印刷ジョブに設定される用紙のサイズとして複数のサイズを設定する設定手段と、
前記設定手段によって第１サイズの用紙と第２サイズの用紙とを混載することが設定された場合に第１用紙混載情報と各ページの画像データを前記印刷装置へ送信し、前記設定手段によって第１サイズの用紙と第３サイズの用紙とを混載することが設定された場合に第２用紙混載情報と各ページの画像データとを前記印刷装置へ送信する送信手段とを備え、
前記第１用紙混載情報は、前記印刷装置に第１サイズの用紙のロングエッジの長さと第２サイズの用紙の１辺の長さとが揃った印刷物を印刷させるための情報であり、一方、前記第２用紙混載情報は、前記印刷装置に第１サイズの用紙のショートエッジの長さと第３サイズの用紙の１辺の長さとが揃った印刷物を印刷させるための情報であることを特徴とする情報処理装置。
【請求項７】  前記第１サイズおよび前記第３サイズは、前記第２サイズよりも面積が小さいことを特徴とする請求項６に記載の情報処理装置。
【請求項８】  前記第１サイズは、Ａ４サイズであり、前記第２サイズは、Ａ３サイズであり、前記第３サイズは、Ａ５サイズであることを特徴とする請求項６または７に記載の情報処理装置。
【請求項９】  前記送信手段は、前記印刷装置が第１サイズの用紙のロングエッジの長さと第２サイズの用紙のショートエッジの長さとが揃った印刷物を生成するための第１用紙混載情報、または、第１サイズの用紙のショートエッジの長さと第３サイズの用紙のロングエッジの長さとが揃った印刷物を生成するための第２用紙混載情報を前記印刷装置へ送信することを特徴とする請求項６乃至８のいずれか１項に記載の情報処理装置。
【請求項１０】  少なくとも第１サイズ、第２サイズ、第３サイズの用紙を給紙でき、前記第１サイズの用紙を、ショートエッジとロングエッジとの両方で給紙可能な印刷装置の制御方法であって、
複数種類のサイズの用紙が混載していることを示す用紙混載情報を情報処理装置から受信する受信ステップと、
前記受信ステップによって受信された用紙混載情報に基づいて、第１サイズの用紙をロングエッジにて給紙するか、ショートエッジにて給紙するかを決定する決定ステップと、
前記決定ステップによって第１サイズの用紙をロングエッジにて給紙すると決定された場合、第１サイズの用紙のロングエッジの長さと第２サイズの用紙の１辺の長さとが揃った印刷物を生成し、前記決定ステップによって第１サイズの用紙をショートエッジ給紙すると決定された場合、第１サイズの用紙のショートエッジの長さと第３サイズの用紙の１辺の長さとが揃った印刷物を出力する出力制御ステップとを有することを特徴とする制御方法。
【請求項１１】  前記出力制御ステップは、前記決定ステップによって前記第１サイズの用紙をロングエッジにて給紙すると決定された場合、前記印刷装置が有するロングエッジでの給紙が可能なカセットから前記第１サイズの用紙を給紙し、前記決定ステップによって前記第１サイズの用紙をショートエッジにて給紙すると決定された場合、前記印刷装置が有するショートエッジでの給紙が可能なカセットから前記第１サイズの用紙を給紙することを特徴とする請求項１０に記載の制御方法。
【請求項１２】  前記第１サイズおよび前記第３サイズは、前記第２サイズよりも面積が小さいことを特徴とする請求項１０に記載の制御方法。
【請求項１３】  前記第１サイズは、Ａ４サイズであり、前記第２サイズは、Ａ３サイズであり、前記第３サイズは、Ａ５サイズであることを特徴とする請求項１０乃至１２のいずれか１項に記載の制御方法。
【請求項１４】  前記出力制御ステップは、前記決定ステップによって第１サイズの用紙をロングエッジにて給紙すると決定した場合、第１サイズの用紙のロングエッジの長さと第２サイズの用紙のショートエッジの長さとが揃った印刷物を生成し、前記決定ステップによって第１サイズの用紙をショートエッジにて給紙すると決定した場合、第１サイズの用紙のショートエッジの長さと第３サイズの用紙のロングエッジの長さとが揃った印刷物を印刷することを特徴とする請求項１０乃至１３のいずれか１項に記載の制御方法。
【請求項１５】  少なくとも第１サイズ、第２サイズ、第３サイズの用紙を給紙できる印刷装置と通信する情報処理装置の制御方法であって、
１つの印刷ジョブに設定される用紙のサイズとして複数のサイズを設定する設定ステップと、
前記設定ステップによって第１サイズの用紙と第２サイズの用紙とを混載することが設定された場合に第１用紙混載情報と各ページの画像データを前記印刷装置へ送信し、前記設定ステップによって第１サイズの用紙と第３サイズの用紙とを混載することが設定された場合に第２用紙混載情報と各ページの画像データとを前記印刷装置へ送信する送信ステップとを備え、
前記第１用紙混載情報は、前記印刷装置に第１サイズの用紙のロングエッジの長さと第２サイズの用紙の１辺の長さとが揃った印刷物を印刷させるための情報であり、一方、前記第２用紙混載情報は、前記印刷装置に第１サイズの用紙のショートエッジの長さと第３サイズの用紙の１辺の長さとが揃った印刷物を印刷させるための情報であることを特徴とする制御方法。
【請求項１６】  前記第１サイズおよび前記第３サイズは、前記第２サイズよりも面積が小さいことを特徴とする請求項１５に記載の制御方法。
【請求項１７】  前記第１サイズは、Ａ４サイズであり、前記第２サイズは、Ａ３サイズであり、前記第３サイズは、Ａ５サイズであることを特徴とする請求項１５または１６に記載の制御方法。
【請求項１８】  前記送信ステップは、前記印刷装置が第１サイズの用紙のロングエッジの長さと第２サイズの用紙のショートエッジの長さとが揃った印刷物を生成するための第１用紙混載情報、または、第１サイズの用紙のショートエッジの長さと第３サイズの用紙のロングエッジの長さとが揃った印刷物を生成するための第２用紙混載情報を前記印刷装置へ送信することを特徴とする請求項１５乃至１７のいずれか１項に記載の制御方法。
【請求項１９】  請求項１０乃至１４のいずれか１項に記載の印刷装置の制御方法をコンピュータに実行させるためのコンピュータ読み出し可能なプログラム。
【請求項２０】  請求項１５乃至１８のいずれか１項に記載の情報処理装置の制御方法をコンピュータに実行させるためのコンピュータ読み出し可能なプログラム。
【手続補正３】
【補正対象書類名】明細書
【補正対象項目名】０００１
【補正方法】変更
【補正の内容】
【０００１】
【発明の属する技術分野】
本発明は、複数の給紙カセットを備えると共に用紙サイズが混在した印刷も可能な印刷装置、情報処理装置、制御方法、及びプログラムに関する。
【手続補正４】
【補正対象書類名】明細書
【補正対象項目名】０００４
【補正方法】変更
【補正の内容】
【０００４】
本発明は、上述した点に鑑みなされたものであり、用紙サイズが混在した印刷完了用紙を出力する場合でも、例えばステイプル留めなどの後処理を円滑に行うことを可能とした印刷装置、情報処理装置、制御方法、及びプログラムを提供することを目的とする。
【手続補正５】
【補正対象書類名】明細書
【補正対象項目名】０００５
【補正方法】変更
【補正の内容】
【０００５】
【課題を解決するための手段】
上記目的を達成するため、本発明の印刷装置は、少なくとも第１サイズ、第２サイズ、第３サイズの用紙を給紙でき、前記第１サイズの用紙を、ショートエッジとロングエッジとの両方で給紙可能な印刷装置であって、複数種類のサイズの用紙が混載していることを示す用紙混載情報を情報処理装置から受信する受信手段と、前記受信手段によって受信された用紙混載情報に基づいて、第１サイズの用紙をロングエッジにて給紙するか、ショートエッジにて給紙するかを決定する決定手段と、前記決定手段によって第１サイズの用紙をロングエッジにて給紙すると決定された場合、第１サイズの用紙のロングエッジの長さと第２サイズの用紙の１辺の長さとが揃った印刷物を生成し、前記決定手段によって第１サイズの用紙をショートエッジ給紙すると決定された場合、第１サイズの用紙のショートエッジの長さと第３サイズの用紙の１辺の長さとが揃った印刷物を出力する出力制御手段とを有することを特徴とする。
【手続補正６】
【補正対象書類名】明細書
【補正対象項目名】０００６
【補正方法】変更
【補正の内容】
【０００６】
上記目的を達成するため、本発明の情報処理装置は、少なくとも第１サイズ、第２サイズ、第３サイズの用紙を給紙できる印刷装置と通信する情報処理装置であって、１つの印刷ジョブに設定される用紙のサイズとして複数のサイズを設定する設定手段と、前記設定手段によって第１サイズの用紙と第２サイズの用紙とを混載することが設定された場合に第１用紙混載情報と各ページの画像データを前記印刷装置へ送信し、前記設定手段によって第１サイズの用紙と第３サイズの用紙とを混載することが設定された場合に第２用紙混載情報と各ページの画像データとを前記印刷装置へ送信する送信手段とを備え、前記第１用紙混載情報は、前記印刷装置に第１サイズの用紙のロングエッジの長さと第２サイズの用紙の１辺の長さとが揃った印刷物を印刷させるための情報であり、一方、前記第２用紙混載情報は、前記印刷装置に第１サイズの用紙のショートエッジの長さと第３サイズの用紙の１辺の長さとが揃った印刷物を印刷させるための情報であることを特徴とする。
【手続補正７】
【補正対象書類名】明細書
【補正対象項目名】０００７
【補正方法】削除
【補正の内容】
【手続補正８】
【補正対象書類名】明細書
【補正対象項目名】０００８
【補正方法】削除
【補正の内容】
【手続補正９】
【補正対象書類名】明細書
【補正対象項目名】０００９
【補正方法】削除
【補正の内容】
【手続補正１０】
【補正対象書類名】明細書
【補正対象項目名】００１０
【補正方法】削除
【補正の内容】
【手続補正１１】
【補正対象書類名】明細書
【補正対象項目名】００１１
【補正方法】削除
【補正の内容】
【手続補正１２】
【補正対象書類名】明細書
【補正対象項目名】００１２
【補正方法】削除
【補正の内容】
【手続補正１３】
【補正対象書類名】明細書
【補正対象項目名】００１３
【補正方法】削除
【補正の内容】
【手続補正１４】
【補正対象書類名】明細書
【補正対象項目名】００１４
【補正方法】削除
【補正の内容】
【手続補正１５】
【補正対象書類名】明細書
【補正対象項目名】００１５
【補正方法】削除
【補正の内容】
【手続補正１６】
【補正対象書類名】明細書
【補正対象項目名】００１６
【補正方法】削除
【補正の内容】
【手続補正１７】
【補正対象書類名】明細書
【補正対象項目名】００１７
【補正方法】削除
【補正の内容】
【手続補正１８】
【補正対象書類名】明細書
【補正対象項目名】００１８
【補正方法】削除
【補正の内容】
【手続補正１９】
【補正対象書類名】明細書
【補正対象項目名】００１９
【補正方法】削除
【補正の内容】
【手続補正２０】
【補正対象書類名】明細書
【補正対象項目名】００２０
【補正方法】削除
【補正の内容】
【手続補正２１】
【補正対象書類名】明細書
【補正対象項目名】００２１
【補正方法】削除
【補正の内容】
【手続補正２２】
【補正対象書類名】明細書
【補正対象項目名】００２２
【補正方法】削除
【補正の内容】
【手続補正２３】
【補正対象書類名】明細書
【補正対象項目名】００２３
【補正方法】削除
【補正の内容】
【手続補正２４】
【補正対象書類名】明細書
【補正対象項目名】００２４
【補正方法】削除
【補正の内容】
【手続補正２５】
【補正対象書類名】明細書
【補正対象項目名】００２５
【補正方法】削除
【補正の内容】
【手続補正２６】
【補正対象書類名】明細書
【補正対象項目名】００２６
【補正方法】削除
【補正の内容】
【手続補正２７】
【補正対象書類名】明細書
【補正対象項目名】００２７
【補正方法】削除
【補正の内容】
【手続補正２８】
【補正対象書類名】明細書
【補正対象項目名】００２８
【補正方法】削除
【補正の内容】
【手続補正２９】
【補正対象書類名】明細書
【補正対象項目名】００２９
【補正方法】削除
【補正の内容】
【手続補正３０】
【補正対象書類名】明細書
【補正対象項目名】００３０
【補正方法】削除
【補正の内容】
【手続補正３１】
【補正対象書類名】明細書
【補正対象項目名】００３１
【補正方法】削除
【補正の内容】
【手続補正３２】
【補正対象書類名】明細書
【補正対象項目名】００３２
【補正方法】削除
【補正の内容】
【手続補正３３】
【補正対象書類名】明細書
【補正対象項目名】００３３
【補正方法】削除
【補正の内容】
【手続補正３４】
【補正対象書類名】明細書
【補正対象項目名】００３４
【補正方法】削除
【補正の内容】
【手続補正３５】
【補正対象書類名】明細書
【補正対象項目名】００３５
【補正方法】削除
【補正の内容】
【手続補正３６】
【補正対象書類名】明細書
【補正対象項目名】００３６
【補正方法】削除
【補正の内容】
【手続補正３７】
【補正対象書類名】明細書
【補正対象項目名】００３７
【補正方法】削除
【補正の内容】
【手続補正３８】
【補正対象書類名】明細書
【補正対象項目名】００３８
【補正方法】削除
【補正の内容】
【手続補正３９】
【補正対象書類名】明細書
【補正対象項目名】００３９
【補正方法】削除
【補正の内容】
【手続補正４０】
【補正対象書類名】明細書
【補正対象項目名】００８０
【補正方法】変更
【補正の内容】
【００８０】
【発明の効果】
以上説明したように、本発明によれば、用紙サイズが混在した印刷完了用紙を出力する場合でも、例えばステイプル留めなどの後処理を円滑に行うことが可能となる。
【手続補正４１】
【補正対象書類名】明細書
【補正対象項目名】００８１
【補正方法】削除
【補正の内容】
【手続補正４２】
【補正対象書類名】明細書
【補正対象項目名】符号の説明
【補正方法】変更
【補正の内容】
【符号の説明】
１  リーダ部
２  プリンタ部
３  画像入出力制御部
９  操作部
１０  コア部
１１  ＰＣ／ＷＳ
１２３  ＣＰＵ
１２５  給紙方向特定制御部
２２０  フィニッシャ